(57)【要約】【課題】送風装置から空気とともに吹き出される正及び負極性のイオンを通流する通流路を備え、正及び負極性のイオンをバランス良く外部へ放出することができる送風装置用のスタンドを提供する。【解決手段】風向板３２と流路壁２２との間の通流路３３により、送風装置の吹出口７２ａから吹き出された正負イオン及び空気を通流して外部へ吹き出し、遮蔽板４７により、吹出口７２ａの一部を遮蔽して通流路３３への負又は正イオンの流入を規制する。これにより、送風装置の吹出口７２ａから吹き出された正負イオン及び空気を通流路３３により通流し、正負イオンをバランス良く外部へ放出する。【選択図】図７
2014060066.tif 000002
【特許請求の範囲】
【請求項１】
正及び負極性の帯電粒子を空気とともに吹出口から吹き出す送風装置用のスタンドであって、
前記吹出口から吹き出された帯電粒子及び空気を通流して外部へ吹き出す通流路と、
前記吹出口の一部を遮蔽して前記通流路への正極性又は負極性のいずれか一方の帯電粒子の流入を規制する遮蔽板と
を備えることを特徴とする送風装置用のスタンド。
【請求項２】
前記遮蔽板は、前記帯電粒子及び空気が流入する前記通流路の流入口の縁部に設けてあることを特徴とする請求項１に記載の送風装置用のスタンド。
【請求項３】
正及び負極性の帯電粒子を空気とともに吹出口から吹き出す送風装置用のスタンドであって、
前記吹出口から吹き出された帯電粒子及び空気を通流して外部へ吹き出す通流路と、
前記吹出口から前記送風装置内部へ挿入され、前記通流路への正極性又は負極性のいずれか一方の帯電粒子の流入を規制する規制板と
を備えることを特徴とする送風装置用のスタンド。
【請求項４】
前記規制板は、前記帯電粒子及び空気が流入する前記通流路の流入口の縁部に設けてあることを特徴とする請求項３に記載の送風装置用のスタンド。
【請求項５】
前記通流路は、前記吹出口から吹き出される気流の方向を変えるようにしてあることを特徴とする請求項１から請求項４のいずれか１つに記載の送風装置用のスタンド。
【発明の詳細な説明】
【技術分野】
【０００１】
本発明は、帯電粒子を空気とともに吹出口から吹き出す送風装置用のスタンドに関する。
【背景技術】
【０００２】
人の肌弾力を向上させる等の美容の分野において、肌の周囲に帯電粒子を照射する美容器具が種々提案されている。この美容器具は、帯電粒子発生器により帯電粒子を発生させて放出し、帯電粒子を人の肌に照射する。照射された帯電粒子によって、肌表面の水分量が増加する効果が得られるとともに、皮膚のより深い部分（真皮）における保水力を高めて肌弾力を向上する効果がある。
【０００３】
帯電粒子を発生させる方法としては、空気中で放電を行ってＨ+ （Ｈ2 Ｏ）m 、Ｏ2-（Ｈ2 Ｏ）n 等の水分子が凝集した正及び負のイオンを発生させる方法が知られている。ここで、ｍ及びｎは任意の自然数である。また、帯電粒子を発生させる他の方法としては、冷却した電極上における結露等で集めた水に高電圧をかけることにより、霧状の帯電した水粒子（以下、帯電水粒子と表記する。）を発生させる方法等もある。水分子が凝集したイオン、帯電水粒子等の帯電粒子が人の肌に照射されることによって、肌表面にＯＨ基が付着し、肌表面が親水化されて水分子が付着しやすくなるという効果が生じるものと考えられている。
【０００４】
特許文献１には、携帯用に改良されたイオン発生装置が記載されている。このイオン発生装置は、放出口を有する筐体と、該筐体内部に配置され、帯電粒子としての負イオンを発生する負イオン発生電極と、該負イオン発生電極に負極性の高電圧を印加する高電圧発生回路が組み込まれた高圧基板と、電源となるバッテリとを備える。このイオン発生装置は、紐などの装着手段を放出口付近に取り付けて顔の下辺りに吊り提げ、イオンを放出させて使用する。この使用状態で放出口は筐体の上部側に位置しており、放出口から放出された負イオンが顔へと照射されるというものである。
【先行技術文献】
【特許文献】
【０００５】
【特許文献１】特開２００６−１７９３６３号公報
【発明の概要】
【発明が解決しようとする課題】
【０００６】
しかしながら、特許文献１に記載の従来のイオン発生装置は、装着手段によって吊り提げて使用する以外に、例えば卓上に置いて使用する場合があり、この場合、イオン発生装置が顔から遠くなってイオンが届きにくくなる。また、イオンの放出口が卓上の上方に向くので、使用者がイオン発生装置の真上に顔を近づけるようにしなければならず利便性が低下する。
【０００７】
送風機を備えてイオンを空気とともに吹き出す送風装置であれば、卓上に載置した場合でも遠方までイオンを到達させることができ、更に、スタンドに通流路を設けて風向を変えれば、イオンが顔の方向へ吹き出されるようにできる。しかし、スタンドに設けた通流路は、送風装置から吹き出されたイオンの分布を変える要因となる。
【０００８】
送風装置は、単独で使用される場合に吹出口から自由空間へイオンを空気とともに吹き出すことを前提として、例えば所定距離の空間におけるイオンの分布量が所望量得られるように送風装置内の通流路や吹出口等の形状・寸法が決められる。しかし、スタンドに設けた通流路が追加され、更に風向まで変えられることになると、吹出口から吹き出したイオンの分布量が変わることになる。
【０００９】
特に、正及び負極性のイオンを同時的に吹き出す送風装置では、スタンドに設けた通流路の影響によって、該通流路から自由空間へ吹き出されたイオンのうち一方の極性のイオンが減少してしまうという問題点があった。
【００１０】
本発明は斯かる事情に鑑みてなされたものであり、その目的とするところは、送風装置から空気とともに吹き出される正及び負極性のイオンを通流する通流路を備え、正及び負極性のイオンをバランス良く外部へ放出することができる送風装置用のスタンドを提供することにある。
【課題を解決するための手段】
【００１１】
本発明に係る送風装置用のスタンドは、正及び負極性の帯電粒子を空気とともに吹出口から吹き出す送風装置用のスタンドであって、前記吹出口から吹き出された帯電粒子及び空気を通流して外部へ吹き出す通流路と、前記吹出口の一部を遮蔽して前記通流路への正極性又は負極性のいずれか一方の帯電粒子の流入を規制する遮蔽板とを備えることを特徴とする。
【００１２】
本発明にあっては、通流路により、送風装置の吹出口から吹き出された帯電粒子及び空気を通流して外部へ吹き出し、遮蔽板により、吹出口の一部を遮蔽して通流路への正極性又は負極性のいずれか一方の帯電粒子の流入を規制する。これにより、送風装置の吹出口から吹き出された帯電粒子及び空気を通流路により通流し、正及び負極性の帯電粒子をバランス良く外部へ放出する。
【００１３】
本発明に係る送風装置用のスタンドは、前記遮蔽板は、前記帯電粒子及び空気が流入する前記通流路の流入口の縁部に設けてあることを特徴とする。
【００１４】
本発明にあっては、帯電粒子及び空気が流入する通流路の流入口の縁部に遮蔽板が設けてあるので、確実に一方の極性の帯電粒子の通流路への流入を抑制する。
【００１５】
本発明に係る送風装置用のスタンドは、正及び負極性の帯電粒子を空気とともに吹出口から吹き出す送風装置用のスタンドであって、前記吹出口から吹き出された帯電粒子及び空気を通流して外部へ吹き出す通流路と、前記吹出口から前記送風装置内部へ挿入され、前記通流路への正極性又は負極性のいずれか一方の帯電粒子の流入を規制する規制板とを備えることを特徴とする。
【００１６】
本発明にあっては、通流路により、送風装置の吹出口から吹き出された帯電粒子及び空気を通流して外部へ吹き出し、吹出口から送風装置内部へ挿入される規制板により、通流路への正極性又は負極性のいずれか一方の帯電粒子の流入を規制する。規制板は吹出口から送風装置内部へ挿入されることにより、帯電粒子の発生量を抑制する。これにより、送風装置の吹出口から吹き出された帯電粒子及び空気を通流路により通流し、正及び負極性の帯電粒子をバランス良く外部へ放出する。
【００１７】
本発明に係る送風装置用のスタンドは、前記規制板は、前記帯電粒子及び空気が流入する前記通流路の流入口の縁部に設けてあることを特徴とする。
【００１８】
本発明にあっては、帯電粒子及び空気が流入する前記通流路の流入口の縁部に規制板が設けてあるので、流入口に近い送風装置の吹出口へ規制板を挿入し易く、また規制板の外形寸法が小さくなる。
【００１９】
本発明に係る送風装置用のスタンドは、前記通流路は、前記吹出口から吹き出される気流の方向を変えるようにしてあることを特徴とする。
【００２０】
本発明にあっては、通流路は、吹出口から吹き出される気流の方向を変えるようにしてあるので、スタンドが卓上等に置かれたときにスタンドから外部へ吹き出される気流の方向を所望の方向とすることができる。
【発明の効果】
【００２１】
本発明によれば、通流路により、送風装置の吹出口から吹き出された帯電粒子及び空気を通流して外部へ吹き出し、遮蔽板により、吹出口の一部を遮蔽して通流路への正極性又は負極性の帯電粒子の流入を規制する。このため、送風装置の吹出口から吹き出された帯電粒子及び空気を通流路により通流し、正及び負極性の帯電粒子をバランス良く外部へ放出することができる。
【図面の簡単な説明】
【００２２】
【図１】本発明の実施の形態に係るスタンドの外観を示す正面側の斜視図である。
【図２】天蓋部が収容された状態のスタンドの正面図である。
【図３】天蓋部が突出した状態のスタンドの正面図である。
【図４】送風装置の外観を示す斜視図である。
【図５】スタンドの縦断側面図である。
【図６】図５のＢ−Ｂ線から見たスタンドの断面図である。
【図７】送風装置を収容した状態のスタンドの縦断側面図である。
【図８】図５のＢ−Ｂ線から見た送風装置を収容した状態のスタンドの断面図である。
【図９】変形例に係る送風装置を収容した状態のスタンドの縦断側面図である。
【図１０】図５のＢ−Ｂ線から見た変形例に係る送風装置を収容した状態のスタンドの断面図である。
【発明を実施するための形態】
【００２３】
以下、本発明に係る送風装置用のスタンドの実施の形態を図面に基づいて説明する。
【００２４】
図１は、本発明の実施の形態に係るスタンド１００の外観を示す正面側の斜視図、図２は天蓋部３０が収容された状態のスタンド１００の正面図、図３は天蓋部３０が突出した状態のスタンド１００の正面図、図４は送風装置７の外観を示す斜視図である。本実施形態に係るスタンド１００は、送風装置７を内部に収容し、キャップ２が送風装置７に被せてあり、送風装置７から吹き出される気流の方向を変える。
【００２５】
まず、全体の構成について説明する。スタンド１００は、基台部１と、キャップ２とを備える。基台部１は有底円筒状をなし、上部の開口の縁にキャップ２を着脱自在に嵌め合わせてある。キャップ２は、円筒状の収容体２０と、収容体２０の上部の開口に嵌挿される天蓋部３０とを備える。収容体２０は、円筒状の胴部２１の上端に内向きに円環状の鍔２１ａを設けてなる。鍔２１ａの内周側の縁により開口部２１ｂが形成される。天蓋部３０は天板３１等を備え、天板３１の周縁３１ｂは開口部２１ｂに嵌合する。天蓋部３０は、収容体２０に収容された状態で、天板３１の外面と鍔２１ａの外面とが面一となる。送風装置７をスタンド１００内に収容した状態で、天蓋部３０は収容体２０の鍔２１ａから上方へ突出する。天蓋部３０は、天板３１の下方に円筒を斜めに切除された側筒部３１ｃを有する。側筒部３１ｃは、正面側の上部から背面側の下部にかけて下方側が切除してある。側筒部３１ｃの切り口にあたる縁部３１ｄ、及び該縁部３１ｄに対向する開口部２１ｂの一部によって開口がスタンド１００の正面側に形成される。
【００２６】
送風装置７はハウジング７０内に後述する送風機７５及びイオン発生器７６等を収容する。ハウジング７０は、角筒状の胴部７１と、胴部７１の両端に嵌着させた上板７２及び底板７３を備える。送風装置７は、胴部７１の側面に設けた吸込口７１ａから吸い込んだ空気とともにイオン発生器７６により発生させたイオンを、上板７２に設けた吹出口７２ａ，７２ｂから吹き出す。送風装置７がスタンド１００の内部に収容された状態では、吹出口７２ａ，７２ｂから吹き出される空気及びイオンは、天蓋部３０の側筒部３１ｃにおける縁部３１ｄ及び開口部２１ｂの一部によって形成される開口を通って、外部へ放出される。
【００２７】
次に各部の構成について説明する。図５はスタンド１００の縦断側面図、図６は図５のＢ−Ｂ線から見たスタンド１００の断面図である。尚、図５において紙面右側を正面側（前側）、紙面左側を背面側（後側）としている。キャップ２の天蓋部３１は、側筒部３１ｃの縁部３１ｄに嵌合する風向板３２と、側筒部３１ｃの下端に固定した底板４とを備える。風向板３２は、後方にやや膨んだ湾曲した形状をなす板部材であり、上端部３２ａが天板３１の前側の縁部３１ｄ下面に係合し、下端部３２ｂが底板４に当接して固定されている。風向板３２は後側下方から前側上方にかけて傾斜して配置されている。風向板３２の両側部は、側筒部３１ｃの縁部３１ｄに沿う曲線形状としてある。また、風向板３２に対向し、開口部２１ｂの縁部に上端部２２ａが連結された円錐筒状の流路壁２２が設けてある。尚、流路壁２２の後方部分は、側筒部３１ｃに対面する筒状をなしている。また、側筒部３１ｃの内部の後寄りに、底板４を連結するための螺子穴を設けた連結部３１ｅを設けてある。
【００２８】
底板４は、胴部２１の内周面に納まる外径を有する円盤状をなす。底板４の中央部後寄りにボス部４２が設けてあり、下方から螺子を挿通して連結部３１ｅの螺子穴に螺合させることにより、底部４を天蓋部３０に固定する。底板４の中央部には、上方へ窪み、送風装置７の上側の端部を嵌合させる凹部４３が形成してあり、凹部４３の底には、送風装置７の吹出口７２ａ，７２ｂに対応する貫通孔が形成された開口部４３ａが設けられている。開口部４３ａは、平面視で吹出口７２ａ，７２ｂを包絡し、更に広く開口している。凹部４３の前後の縁部には、送風装置７の上端を案内するガイド板４５，４５が設けてある。また、開口部４３ａの後側の縁に風向板３２の下端部が当接している。
【００２９】
底板４の周縁の３箇所には、胴部２１の内周面に対面する側板４４，４４が設けてある。胴部２１には、側板４４，４４に対応するガイド部２３，２３が胴部２１の内周面から突起し上下方向に延びる条として形成されている。また、底板４の後部に立設された軸体に圧縮コイルばね４６が軸方向を上下方向として一端部を挿通してあり、圧縮コイルばね４６の他端部は胴部２１の内周面に形成したホルダ２４の止り穴に挿入されている。
【００３０】
底板４の開口部４３ａの縁部の上面に矩形状の遮蔽板４７が固定されている。図６に示すように遮蔽板４７は開口部４３ａの一部を遮蔽している。
【００３１】
基台部１は、送風装置７を収容する有底円筒状の収容台１１と、該収容台１１の底部に嵌装される基板ケース１２とを備える。収容台１１の後部には空気を取り入れる空気取入口１１ａ、及びＵＳＢ（Universal Serial Bus）プラグ端子（図示略）を挿入する開口部１１ｂが設けられている。基板ケース１２は、平面視円形の箱状をなし、下部が収容台１１の底部に着座する。基板ケース１２の内部には基板１４が収容されており、後部にはＵＳＢプラグ端子を挿入する開口部１２ａが設けられている。
【００３２】
基板１４には、基板ケース１２の中央部に対応する位置にＵＳＢプラグ端子１５を設けてあり、開口部１２ａ側の端部にＵＳＢソケット端子１６を設けてある。ＵＳＢプラグ端子１５とＵＳＢソケット端子１６とは互いに電気的に接続してある。基板ケース１２の上面の中央部には、下方に窪み、送風装置７の下側の端部を勘合させる凹部１３が設けてあり、凹部１３の底１３ａに設けた貫通孔からＵＳＢプラグ端子１５が上方へ突き出している。
【００３３】
次に送風装置７をスタンド１００内に収容して使用する状態について説明する。図７は送風装置７を収容した状態のスタンド１００の縦断側面図、図８は図５のＢ−Ｂ線から見た送風装置７を収容した状態のスタンド１００の断面図である。キャップ２の収容体２０を上方へ持ち上げて基台部１から取り外し、上方から送風装置７を基台部１へ挿入し、送風装置７の下側の端部を凹部１３へ勘合させる。送風装置７の底板７３を凹部１３の底１３ａに着座させる。基板ケース１２に設けたＵＳＢプラグ端子１５は、送風装置７の底板７３に設けられているＵＳＢソケット端子に挿入される。
【００３４】
次に送風装置７の上方からキャップ２の収容体２０を被せ、ガイド板４５，４５に送風装置７の上側の端部を添わせながら、キャップ２を降ろしていく。送風装置７の上板７２の外面が凹部４３の底に当接することによって、天蓋部３０の上下方向の位置が決まる。更にキャップ２を降ろしていくと、天蓋部３０が静止した状態で収容体２０が下方に動き、天蓋部３０が鍔２１ａから突出してくる。更にキャップ２の収容体２０を下降させて、基台部１上部の開口の縁に嵌め合わせる。
【００３５】
送風装置７をスタンド１００内に収容した状態で天蓋部３０の天板３１の位置は鍔２１ａの位置より高くなり、側筒部３１ｃの縁部３１ｄ、及び該縁部３１ｄに対向する開口部２１ｂの一部によって開口がスタンド１００の正面側に形成される。また、風向板３２と流路壁２２と間に通流路３３が形成され、底板４に設けた開口部４３ａが風向板３２の下端部及び流路壁２２の下端部２２ｂ間の空間に臨む。
【００３６】
基板ケース１２に設けたＵＳＢソケット端子１６に外部からＵＳＢプラグ端子を接続することによってバス電源が送風装置７に供給される。送風装置７の内部には、前後方向の略中央に回路基板７７が配置されており、回路基板７７の一面側に充電可能なバッテリ７４を、他面側に送風機７５を、回路基板７７の上方にイオン発生器７６を設けてある。回路基板７７と送風機７５との間の隙間を設けてあり、該隙間はハウジング７０の胴部７１に設けた吸込口７１ａに通じており、上流側通流路７８ａを構成している。送風機７５は遠心ファンであり、複数の羽根７５ａがモータ７５ｂにより前後方向の軸まわりに回転駆動される。羽根７５ａが回転することにより図７の白抜き矢印に示すように、上流側通流路７８ａから送風機７５の内部空間７８ｂに空気が吸い込まれ、送風機７５の上部に設けた開口から下流側通流路７８ｃへ送出される。尚、吸込口７１ａから上流側通流路７８ａに吸い込まれる空気は、空気取入口１１ａを通してスタンド１００の外部から取り入れられる。
【００３７】
下流側通流路７８ｃには、イオン発生器７６の放電電極７６ａ，７６ｂが露出しており、放電電極７６ａ，７６ｂで発生させたイオンは、下流側通流路７８ｃを通流する空気とともに、吹出口７２ａ，７２ｂから吹き出される。イオン発生器７６は、放電電極７６ａに負極性の高電圧が印加され、放電電極７６ｂに正極性の高電圧が印加されている。イオン発生器７６は、放電電極７６ａで負イオンであるＯ2 - （Ｈ2 Ｏ）n （ｎは任意の自然数）を発生し、放電電極７６ｂで正イオンであるＨ+ （Ｈ2 Ｏ）m （ｍは任意の自然数）を発生させる。
【００３８】
送風装置７の吹出口７２ａ，７２ａから吹き出された正負イオン及び空気は、底板４の開口部４３ａから吹き出し、風向板３２と流路壁２２との間の通流路３３を通り、側筒部３１ｃの縁部３１ｄ及び該縁部３１ｄに対向する開口部２１ｂの一部で形成される開口から正面側へ吹き出される。送風装置７の吹出口７２ａから吹き出される気流（イオン及び空気の流れ）の方向は、キャップ２を被せない状態では上向きとなるが、キャップ２を被せた状態では、風向板３２によって気流の方向が変えられて上方斜め前方向なる。
【００３９】
遮蔽板４７は、風向板３２と流路壁２２との間の通流路３３の流入口にあたる開口部４３ａの縁部に位置する。図８に示すように、遮蔽板４７は放電電極７６ｂ側の吹出口７２ｂを一部遮蔽している。遮蔽板４７を設けることで、放電電極７６ｂで発生する正イオンが外部へ放出される量を制限している。遮蔽板４７を設けずに正負イオンをスタンド１００から吹き出すようにすると、スタンド１００から放出されたイオンの分布量は、負イオンが少なく正イオンが多い状態となる。遮蔽板４７を設けることによって、正イオンの放出量を抑制することで、負イオンの量と正イオンの量をバランスさせる。
【００４０】
また、遮蔽板４７を設けずに正負イオンをスタンド１００から吹き出したときに、スタンド１００から放出されたイオンの分布量が、負イオンが多く正イオンが少ない状態となる場合には、遮蔽板４７を放電電極７６ａ側の吹出口７２ａを一部遮蔽するように設ければよい。この場合、遮蔽板４７を設けることによって、負イオンの放出量を抑制することで、負イオンの量と正イオンの量をバランスさせる。
【００４１】
また、吹出口７２ａに対面する風向板３２の面、即ち風向板３２の前側下方を向く板面に導電性の被膜が形成されていてもよい。送風装置７から吹き出されたイオンが風向板３２に吹き付けられるので、風向板３２は吹き付けられたイオンの付着によって帯電する可能性がある。イオン発生器７６により正イオン及び負イオンの両方を発生させている場合には、風向板３２に形成した導電性の被膜によって、正及び負の電荷が中和して帯電を抑制できる。また、イオン発生器７６により正イオン及び負イオンのいずれか一方を発生させる構成の場合には、導電性の被膜を基板１４の接地線に接続するようにして正及び負の電荷を接地線へ流すようにすればよい。なお、導電性の被膜は、アルミ蒸着、クロムメッキ、銀メッキ等の処理、カーボンの塗布、又は金属箔の貼り付け等で形成する。
【００４２】
以上のように本実施形態によれば、風向板３２と流路壁２２との間の通流路３３により、送風装置７の吹出口７２ａ，７２ｂから吹き出された正負イオン及び空気を通流して外部へ吹き出し、遮蔽板４７により、吹出口７２ａ又は７２ｂの一部を遮蔽して通流路３３への負又は正イオンの流入を規制する。これにより、送風装置７の吹出口７２ａ，７２ｂから吹き出された正負イオン及び空気を通流路３３により通流し、正負イオンをバランス良く外部へ放出する。
【００４３】
また本実施形態においては、正負イオン及び空気が流入する通流路３３の流入口の縁部に遮蔽板４７が設けてあるので、正負イオンのうち一方の極性のイオンの通流路３３への流入を確実に抑制する。
【００４４】
また本実施形態においては、通流路３３は、送風装置７の吹出口７２ａ，７２ｂから吹き出される気流の方向を風向板３２及び流路壁２２により変えるようにしてあるので、スタンド１００が卓上等に置かれたときにスタンド１００から外部へ吹き出される気流の方向を所望の方向とすることができる。
【００４５】
（変形例）
図９は変形例に係る送風装置７を収容した状態のスタンド１００の縦断側面図、図１０は図５のＢ−Ｂ線から見た変形例に係る送風装置７を収容した状態のスタンド１００の断面図である。変形例では、上述の実施形態において説明した遮蔽板４７の代わりに規制板４８をスタンド１００に配置している。
【００４６】
規制板４８は、風向板３２と流路壁２２と間に通流路３３の流入口にあたる開口部４３ａの縁部に位置する。規制板４８はＬ字状の板部材であり、一辺部を底板４の開口部４３ａの縁部の上面に固定し、他辺部が送風装置７の放電電極７６ｂ側の吹出口７２ｂから送風装置７の下流側通流路７８ｃに挿入されている。規制板４８の他辺部は、下流側通流路７８ｃに挿入されることによって、放電電極７６ｂの先端部と下流側通流路７８ｃの内壁面との間の隙間を埋める。この規制板４８によって放電電極７６ｂで発生する正イオンの量が規制されて減少する。
【００４７】
規制板４８を設けずに正負イオンをスタンド１００から吹き出すようにすると、スタンド１００から放出されたイオンの分布量は、負イオンが少なく正イオンが多い状態となる。規制板４８を設けることによって、正イオンの発生量を抑制することで、負イオンの量と正イオンの量をバランスさせる。
【００４８】
また、規制板４８を設けずに正負イオンをスタンド１００から吹き出したときに、スタンド１００から放出されたイオンの分布量が、負イオンが多く正イオンが少ない状態となる場合には、規制板４８を他辺部が送風装置７の放電電極７６ａ側の吹出口７２ａから送風装置７の下流側通流路７８ｃに挿入するように設ければよい。この場合、規制板４８を設けることによって、負イオンの発生量を抑制することで、負イオンの量と正イオンの量をバランスさせる。
【００４９】
本変形例によれば、通流路３３により、送風装置７の吹出口７２ａ，７２ｂから吹き出された正負イオン及び空気を通流して外部へ吹き出し、吹出口７２ａ又は７２ｂから送風装置７内部へ挿入される規制板４８により、通流路３３への正又は負イオンの流入を規制する。規制板４８は吹出口７２ａ又は７２ｂから送風装置７内部へ挿入されることにより、正又は負イオンの発生量を抑制する。これにより、送風装置７の吹出口７２ａ，７２ｂから吹き出された正負イオン及び空気を通流路３３により通流し、正負イオンをバランス良く外部へ放出する。
【００５０】
また本変形例においては、正負イオン及び空気が流入する通流路３３の流入口の縁部に規制板４８が設けてあるので、流入口に近い送風装置７の吹出口７２ａ又は７２ｂへ規制板４８を挿入し易く、また規制板４８の外形寸法が小さくなる。
【００５１】
また本変形例においては、通流路３３は、送風装置７の吹出口７２ａ，７２ｂから吹き出される気流の方向を風向板３２及び流路壁２２により変えるようにしてあるので、スタンド１００が卓上等に置かれたときにスタンド１００から外部へ吹き出される気流の方向を所望の方向とすることができる。
【００５２】
また、本実施形態及び変形例においては、帯電粒子として水分子が凝集したイオンを発生させる形態を示したが、この形態に限られることなく、送風装置７が帯電水粒子等の帯電粒子を発生させる形態であってもよい。
【００５３】
なお、本発明は、本実施の形態だけに限ることなく、特許請求の範囲に記載された発明の技術的範囲及びそれと均等な範囲に及ぶものとする。
【符号の説明】
【００５４】
３３  通流路
４７  遮蔽板
４８  規制板
７  送風装置
７２ａ，７２ｂ  吹出口
１００  スタンド
【図１】
2014060066.tif 000003
【図２】
2014060066.tif 000004
【図３】
2014060066.tif 000005
【図４】
2014060066.tif 000006
【図５】
2014060066.tif 000007
【図６】
2014060066.tif 000008
【図７】
2014060066.tif 000009
【図８】
2014060066.tif 000010
【図９】
2014060066.tif 000011
【図１０】
2014060066.tif 000012